(57)【特許請求の範囲】
【請求項１】
ワイヤレス・ブロードキャスト・ネットワークにおけるマルチプレクス配信のための方法であって、前記方法は、
１つまたは複数のサービス層マルチプレクスを生成するために１つまたは複数のサービス・オーバーヘッドを選択されたコンテンツ・マルチプレクスと結合することと、
選択されたサービス層マルチプレクスが配信されるべき前記ワイヤレス・ブロードキャスト・ネットワークのうちの１つまたは複数の領域を識別することと、
１つまたは複数の配信層マルチプレクスを生成するために１つまたは複数の配信オーバーヘッドを前記選択されたサービス層マルチプレクスと結合することと、ここにおいて、前記１つまたは複数の配信オーバーヘッドは、前記ワイヤレス・ブロードキャスト・ネットワークのうちの前記識別された１つまたは複数の領域に基づいて選択される、および
前記選択されたコンテンツ・マルチプレクスと結合された前記１つまたは複数のサービス・オーバーヘッドと、前記選択されたサービス層マルチプレクスと結合された前記１つまたは複数の配信オーバーヘッドが、前記ワイヤレス・ブロードキャスト・ネットワークのうちの前記識別された１つまたは複数の領域の各々の異なる領域においてともに異なるように、前記ワイヤレス・ブロードキャスト・ネットワークのうちの前記識別された１つまたは複数の領域上で前記１つまたは複数の配信層マルチプレクスを送信すること、
を具備する方法。
【請求項２】
前記ワイヤレス・ブロードキャスト・ネットワークのうちの前記識別された１つまたは複数の領域に基づいて前記選択されたコンテンツ・マルチプレクスと結合されるべき前記１つまたは複数のサービス・オーバーヘッドをそれぞれ選択すること
をさらに具備する、請求項１に記載の方法。
【請求項３】
複数のコンテンツ・マルチプレクスのためにサービス層マルチプレクスを生成することと、および
複数のサービス層マルチプレクスのために配信層マルチプレクスを生成することと
をさらに具備する、請求項１に記載の方法。
【請求項４】
ワイドコンテンツ・マルチプレクスおよびローカルコンテンツ・マルチプレクスのためにそれぞれ別々のサービス層マルチプレクスを生成することと、および
ワイド・サービス層マルチプレクスおよびローカル・サービス層マルチプレクスのためにそれぞれ別々の配信層マルチプレクスを生成することと
をさらに具備する、請求項３に記載の方法。
【請求項５】
前記１つまたは複数の配信層マルチプレクスを送信することは、
トランスポート識別子を前記１つまたは複数の配信層マルチプレクスの各々の成分に割り当てることと、および
トランスポート機構および前記関連したトランスポート識別子を使用して前記ワイヤレス・ブロードキャスト・ネットワークのうちの前記１つまたは複数の領域と関連した送信機サイトに前記１つまたは複数の配信層マルチプレクスの各々の成分を送信することと
を具備する、請求項１に記載の方法。
【請求項６】
前記１つまたは複数の配信層マルチプレクスを送信することは、
同等の配信層マルチプレクスの１つまたは複数のセットを識別することと、ここにおいて、同等の配信層マルチプレクスの選択されたセットにおける各々の配信層マルチプレクスは、同一のコンテンツ・データと関連させられる、および
同等の配信層マルチプレクスの前記選択されたセットにおけるすべての配信層マルチプレクスのために送信機サイトへコンテンツ・データの単一の実例を送信することと
を具備する、請求項１に記載の方法。
【請求項７】
ワイヤレス・ブロードキャスト・ネットワークにおけるマルチプレクス配信のための装置であって、前記装置は、
プロセッサであって、
１つまたは複数のサービス層マルチプレクスを生成するために１つまたは複数のサービス・オーバーヘッドを選択されたコンテンツ・マルチプレクスと結合することと、
選択されたサービス層マルチプレクスが配信されるべき前記ワイヤレス・ブロードキャスト・ネットワークのうちの１つまたは複数の領域を識別することと、
１つまたは複数の配信層マルチプレクスを生成するために１つまたは複数の配信オーバーヘッドを前記選択されたサービス層マルチプレクスと結合することと、ここにおいて、前記１つまたは複数の配信オーバーヘッドは、前記ワイヤレス・ブロードキャスト・ネットワークのうちの前記識別された１つまたは複数の領域に基づいて選択される、および
前記選択されたコンテンツ・マルチプレクスと結合された前記１つまたは複数のサービス・オーバーヘッドと、前記選択されたサービス層マルチプレクスと結合された前記１つまたは複数の配信オーバーヘッドが、前記ワイヤレス・ブロードキャスト・ネットワークのうちの前記識別された１つまたは複数の領域の各々の異なる領域においてともに異なるように、前記ワイヤレス・ブロードキャスト・ネットワークのうちの前記識別された１つまたは複数の領域上で前記１つまたは複数の配信層マルチプレクスを送信すること
を具備するオペレーションを実行するためにソフトウェア命令で構成されているプロセッサ
を具備する装置。
【請求項８】
前記プロセッサは、
前記ワイヤレス・ブロードキャスト・ネットワークのうちの前記識別された１つまたは複数の領域に基づいて前記選択されたコンテンツ・マルチプレクスと結合されるべき前記１つまたは複数のサービス・オーバーヘッドをそれぞれ選択すること
をさらに具備するオペレーションを実行するためにソフトウェア命令で構成されている、請求項７に記載の装置。
【請求項９】
前記プロセッサは、
複数のコンテンツ・マルチプレクスのためにサービス層マルチプレクスを生成すること、および
複数のサービス層マルチプレクスのために配信層マルチプレクスを生成すること
をさらに具備するオペレーションを実行するためにソフトウェア命令で構成されている、請求項７に記載の装置。
【請求項１０】
前記プロセッサは、
ワイドコンテンツ・マルチプレクスおよびローカルコンテンツ・マルチプレクスのためにそれぞれ別々のサービス層マルチプレクスを生成すること、および
ワイド・サービス層マルチプレクスおよびローカル・サービス層マルチプレクスのためにそれぞれ別々の配信層マルチプレクスを生成すること
をさらに具備するオペレーションを実行するためにソフトウェア命令で構成されている、請求項９に記載の装置。
【請求項１１】
前記プロセッサは、
トランスポート識別子を前記１つまたは複数の配信層マルチプレクスの各々の成分に割り当てること、および
トランスポート機構および前記関連したトランスポート識別子を使用して前記ワイヤレス・ブロードキャスト・ネットワークの前記１つまたは複数の領域と関連した送信機サイトへ前記１つまたは複数の配信層マルチプレクスの各々の成分を送信すること
をさらに具備するオペレーションを実行するためにソフトウェア命令で構成されている、請求項７に記載の装置。
【請求項１２】
前記プロセッサは、
同等の配信層マルチプレクスの１つまたは複数のセットを識別し、ここにおいて、同等の配信層マルチプレクスの選択されたセットにおける各々の配信層マルチプレクスは、同一のコンテンツ・データと関連させられる、および
同等の配信層マルチプレクスの前記選択されたセットにおけるすべての配信層マルチプレクスのために送信機サイトへコンテンツ・データの単一の実例を送信すること
をさらに具備するオペレーションを実行するためにソフトウェア命令で構成されている、請求項７に記載の装置。
【請求項１３】
ワイヤレス・ブロードキャスト・ネットワークにおけるマルチプレクス配信のための装置であって、前記装置は、
１つまたは複数のサービス層マルチプレクスを生成するために１つまたは複数のサービス・オーバーヘッドを選択されたコンテンツ・マルチプレクスと結合するための手段と、
選択されたサービス層マルチプレクスが配信されるべき前記ワイヤレス・ブロードキャスト・ネットワークのうちの１つまたは複数の領域を識別するための手段と、
１つまたは複数の配信層マルチプレクスを生成するために１つまたは複数の配信オーバーヘッドを前記選択されたサービス層マルチプレクスと結合するための手段であって、前記１つまたは複数の配信オーバーヘッドは、前記ワイヤレス・ブロードキャスト・ネットワークのうちの前記識別された１つまたは複数の領域に基づいて選択される、手段と、および
前記選択されたコンテンツ・マルチプレクスと結合された前記１つまたは複数のサービス・オーバーヘッドと、前記選択されたサービス層マルチプレクスと結合された前記１つまたは複数の配信オーバーヘッドが、前記ワイヤレス・ブロードキャスト・ネットワークのうちの前記識別された１つまたは複数の領域の各々の異なる領域においてともに異なるように、前記ワイヤレス・ブロードキャスト・ネットワークの前記識別された１つまたは複数の領域上で前記１つまたは複数の配信層マルチプレクスを送信するための手段と、
を具備する装置。
【請求項１４】
前記ワイヤレス・ブロードキャスト・ネットワークのうちの前記識別された１つまたは複数の領域に基づいて前記選択されたコンテンツ・マルチプレクスと結合されるべき前記１つまたは複数のサービス・オーバーヘッドをそれぞれ選択するための手段と
をさらに具備する、請求項１３に記載の装置。
【請求項１５】
複数のコンテンツ・マルチプレクスのためにサービス層マルチプレクスを生成するための手段と、および
複数のサービス層マルチプレクスのために配信層マルチプレクスを生成するための手段と
をさらに具備する、請求項１３に記載の装置。
【請求項１６】
ワイドコンテンツ・マルチプレクスおよびローカルコンテンツ・マルチプレクスのためにそれぞれ別々のサービス層マルチプレクスを生成するための手段と、および
ワイド・サービス層マルチプレクスおよびローカル・サービス層マルチプレクスのためにそれぞれ別々の配信層マルチプレクスを生成するための手段と
をさらに具備する、請求項１５に記載の装置。
【請求項１７】
前記１つまたは複数の配信層マルチプレクスを送信するための前記手段は、
トランスポート識別子を前記１つまたは複数の配信層マルチプレクスの各々の成分に割り当てるための手段と、および
トランスポート機構および前記関連したトランスポート識別子を使用して前記ワイヤレス・ブロードキャスト・ネットワークのうちの前記１つまたは複数の領域と関連した送信機サイトへ前記１つまたは複数の配信層マルチプレクスの各々の成分を送信するための手段と
を具備する、請求項１３に記載の装置。
【請求項１８】
前記１つまたは複数の配信層マルチプレクスを送信するための前記手段は、
同等の配信層マルチプレクスの１つまたは複数のセットを識別するための手段であって、同等の配信層マルチプレクスの選択されたセットにおける各々の配信層マルチプレクスは、同一のコンテンツ・データと関連させられる、手段と、および
同等の配信層マルチプレクスの前記選択されたセットにおけるすべての配信層マルチプレクスのために送信機サイトへコンテンツ・データの単一の実例を送信するための手段と
を具備する、請求項１３に記載の装置。
【請求項１９】
ワイヤレス・ブロードキャスト・ネットワークにおけるマルチプレクス配信のためのプログラムを記録したコンピューター読み取り可能な記録媒体であって、前記プログラムは、
１つまたは複数のサービス層マルチプレクスを生成するためにコンピューターに１つまたは複数のサービス・オーバーヘッドを選択されたコンテンツ・マルチプレクスと結合させるための第１のコードセットと、
選択されたサービス層マルチプレクスが配信されるべき前記ワイヤレス・ブロードキャスト・ネットワークのうちの１つまたは複数の領域を前記コンピューターに識別させるための第２のコードセットと、
１つまたは複数の配信層マルチプレクスを生成するために前記コンピューターに１つまたは複数の配信オーバーヘッドを前記選択されたサービス層マルチプレクスと結合させるための第３のコードセットであって、前記１つまたは複数の配信オーバーヘッドは、前記ワイヤレス・ブロードキャスト・ネットワークのうちの前記識別された１つまたは複数の領域に基づいて選択される、第３のコードセットと、および
前記選択されたコンテンツ・マルチプレクスと結合された前記１つまたは複数のサービス・オーバーヘッドと、前記選択されたサービス層マルチプレクスと結合された前記１つまたは複数の配信オーバーヘッドが、前記ワイヤレス・ブロードキャスト・ネットワークのうちの前記識別された１つまたは複数の領域の各々の異なる領域においてともに異なるように、前記ワイヤレス・ブロードキャスト・ネットワークの前記識別された１つまたは複数の領域上で前記１つまたは複数の配信層マルチプレクスを前記コンピューターに送信させるための第４のコードセットと、
を具備する、コンピューター読み取り可能な記録媒体。
【請求項２０】
前記第１のコードセットは、前記コンピューターに
前記ワイヤレス・ブロードキャスト・ネットワークのうちの前記識別された１つまたは複数の領域に基づいて前記選択されたコンテンツ・マルチプレクスと結合されるべき前記１つまたは複数のサービス・オーバーヘッドをそれぞれ選択させる
ように構成されている、請求項１９に記載のコンピューター読み取り可能な記録媒体。
【請求項２１】
前記第１のコードセットは、複数のコンテンツ・マルチプレクスのためにサービス層マルチプレクスを前記コンピューターに生成させるように構成されている、請求項１９に記載のコンピューター読み取り可能な記録媒体。
【請求項２２】
前記第３のコードセットは、複数のサービス層マルチプレクスのために配信層マルチプレクスを前記コンピューターに生成させるように構成されている、請求項１９に記載のコンピューター読み取り可能な記録媒体。
【請求項２３】
前記第１のコードセットは、ワイドコンテンツ・マルチプレクスおよびローカルコンテンツ・マルチプレクスのためにそれぞれ別々のサービス層マルチプレクスを前記コンピューターに生成させるように構成されている、請求項２１に記載のコンピューター読み取り可能な記録媒体。
【請求項２４】
前記第３のコードセットは、ワイド・サービス層マルチプレクスおよびローカル・サービス層マルチプレクスのためにそれぞれ別々の配信層マルチプレクスを前記コンピューターに生成させるように構成されている、請求項２２に記載のコンピューター読み取り可能な記録媒体。
【請求項２５】
前記第４のコードセットは、前記コンピューターに
トランスポート識別子を前記１つまたは複数の配信層マルチプレクスの各々の成分に割り当てさせ、および
トランスポート機構および前記関連したトランスポート識別子を使用して前記１つまたは複数の配信層マルチプレクスの各々の成分を前記ワイヤレス・ブロードキャスト・ネットワークの前記１つまたは複数の領域と関連させられた送信機サイトへ送信させる
ように構成されている、請求項１９に記載のコンピューター読み取り可能な記録媒体。
【請求項２６】
前記第４のコードセットは、前記コンピューターに
同等の配信層マルチプレクスの１つまたは複数のセットを識別させ、ここにおいて、同等の配信層マルチプレクスの選択されたセットにおける各々の配信層マルチプレクスは、同一のコンテンツ・データと関連させられる、および
同等の配信層マルチプレクスの前記選択されたセットにおけるすべての配信層マルチプレクスのためにコンテンツ・データの単一の実例を送信させる
ように構成されている、請求項１９に記載のコンピューター読み取り可能な記録媒体。
【請求項２７】
ワイヤレス・ブロードキャスト・ネットワークにおけるマルチプレクス配信のために構成されている少なくとも１つの集積回路であって、前記少なくとも１つの集積回路は、
１つまたは複数のサービス層マルチプレクスを生成するために１つまたは複数のサービス・オーバーヘッドを選択されたコンテンツ・マルチプレクスと結合するための第１のモジュールと、
選択されたサービス層マルチプレクスが配信されるべき前記ワイヤレス・ブロードキャスト・ネットワークのうちの１つまたは複数の領域を識別するための第２のモジュールと、
１つまたは複数の配信層マルチプレクスを生成するために１つまたは複数の配信オーバーヘッドを前記選択されたサービス層マルチプレクスと結合するための第３のモジュールであって、前記１つまたは複数の配信オーバーヘッドは、前記ワイヤレス・ブロードキャスト・ネットワークのうちの前記識別された１つまたは複数の領域に基づいて選択される、第３のモジュールと、および
前記選択されたコンテンツ・マルチプレクスと結合された前記１つまたは複数のサービス・オーバーヘッドと、前記選択されたサービス層マルチプレクスと結合された前記１つまたは複数の配信オーバーヘッドが、前記ワイヤレス・ブロードキャスト・ネットワークのうちの前記識別された１つまたは複数の領域の各々の異なる領域においてともに異なるように、前記ワイヤレス・ブロードキャスト・ネットワークの前記識別された１つまたは複数の領域上で前記１つまたは複数の配信層マルチプレクスを送信するための第４のモジュールと、
を具備する少なくとも１つの集積回路。
【請求項２８】
前記第１のモジュールは、
前記ワイヤレス・ブロードキャスト・ネットワークのうちの前記識別された１つまたは複数の領域に基づいて前記選択されたコンテンツ・マルチプレクスと結合されるべき前記１つまたは複数のサービス・オーバーヘッドをそれぞれ選択する
ように構成されている、請求項２７に記載の少なくとも１つの集積回路。
【請求項２９】
前記第１のモジュールは、複数のコンテンツ・マルチプレクスのためにサービス層マルチプレクスを生成するように構成されている、請求項２７に記載の少なくとも１つの集積回路。
【請求項３０】
前記第３のモジュールは、複数のサービス層マルチプレクスのために配信層マルチプレクスを生成するように構成されている、請求項２７に記載の少なくとも１つの集積回路。
【請求項３１】
前記第１のモジュールは、ワイドコンテンツ・マルチプレクスおよびローカルコンテンツ・マルチプレクスのためにそれぞれ別々のサービス層マルチプレクスを生成するように構成されている、請求項２９に記載の少なくとも１つの集積回路。
【請求項３２】
前記第３のモジュールは、ワイド・サービス層マルチプレクスおよびローカル・サービス層マルチプレクスのためにそれぞれ別々の配信層マルチプレクスを生成するように構成されている、請求項３０に記載の少なくとも１つの集積回路。
【請求項３３】
前記第４のモジュールは、
前記１つまたは複数の配信層マルチプレクスの各々の成分にトランスポート識別子を割り当て、および
トランスポート機構および前記関連したトランスポート識別子を使用して前記ワイヤレス・ブロードキャスト・ネットワークの前記１つまたは複数の領域と関連させられた送信機サイトへ前記１つまたは複数の配信層マルチプレクスの各々の成分を送信する
ように構成されている、請求項２７に記載の少なくとも１つの集積回路。
【請求項３４】
前記第４のモジュールは、
同等の配信層マルチプレクスの１つまたは複数のセットを識別し、ここにおいて、同等の配信層マルチプレクスの選択されたセットにおける各々の配信層マルチプレクスは、同一のコンテンツ・データと関連させられる、および
同等の配信マルチプレクスの前記選択されたセットにおけるすべての配信層マルチプレクスのために送信機サイトへコンテンツ・データの単一の実例を送信する
ように構成されている、請求項２７に記載の少なくとも１つの集積回路。
【発明の詳細な説明】
【関連出願の参照】
【０００１】
本件出願は、2007年4月3日付けで出願された「METHODS AND APPARATUS FOR PROVIDING SERVICE AND FLOW MULTIPLEX IN A MULTIPLE FREQUENCY NETWORK」という名称の米国仮出願第60/909,932号に基づいて優先権を主張するものであって、当該米国出願は、本件出願の出願人に譲渡され、参照によって、本件出願の明細書に明白に組み込まれている。
【０００２】
本件出願は、2007年4月4日付けで出願された「METHODS AND APPARATUS FOR PROVIDING EQUIVALENT MULTIPLEXES IN A MULTIPLE FREQUENCY NETWORK」という名称の米国仮出願第60/910,182号に基づいて優先権を主張するものであって、当該米国出願は、本件出願の出願人に譲渡され、参照によって、本件出願の明細書に明白に組み込まれている。
【技術分野】
【０００３】
本件出願は、一般にデータ・ネットワークのオペレーションに関係し、より詳細には、マルチ周波数ネットワークにおいてコンテンツを配信するための方法および装置に関係する。
【背景技術】
【０００４】
ワイヤレス通信ネットワークのようなデータ・ネットワークは、１つの端末のためにカスタマイズされるサービスと、多くの端末に提供されるサービスとの間でトレードオフしなければならない。例えば、リソースに制限のある多数の携帯デバイス（加入者）にマルチメディア・コンテンツを配信することは、複雑な問題である。したがって、ネットワーク・オペレーター、コンテンツ小売業者、およびサービスプロバイダーにとって、コンテンツおよび／または他のネットワーク・サービスを高速、効率的方法でかつ帯域幅の利用性および電力の効率性を高めるような方法で配信することができる手段を持っていることが重要である。
【０００５】
マルチ周波数ネットワーク（MFN）とは、メディア・コンテンツを送信するために、複数の無線周波数（RF）（またはRFチャネル）が使用されるネットワークである。MFNの１つのタイプは、水平型のマルチ周波数ネットワーク（HMFN）であって、これは、１つの配信波形が、異なるローカルエリアでは、異なるRFチャネルによって送信されるMFNである。同じまたは異なるコンテンツは、そのようなローカルエリアにおいて異なるRFチャネルによって搬送される配信波形の一部として送信されることができる。MFNの他のタイプは、垂直型のマルチ周波数ネットワーク（VMFN）であって、これは、ネットワーク・キャパシティー（デバイス／端末ユーザーに、より多くのコンテンツを配給できる能力という観点でのキャパシティー）を高める目的をもって、独立した配信波形を送信するために、与えられたローカルエリアにおいて複数の無線周波数（RF）チャネルが使用されるところのMFNである。ＭＦＮの配備はまた、あるエリアではVMFNから構成され、その他のエリアではHMFNから構成されるものであってもよい。
【０００６】
典型的なＨＭＦＮにおいて、ローカルエリア・オペレーション・インフラストラクチャー（LOI）は、与えられたローカルエリアにおいてRFチャネル上で単一の配信波形を送信するように作動する送信サイトを具備する。垂直型のＭＦＮにおいて、複数のRFチャネルは、与えられたローカルエリアにおいて異なるセットのコンテンツを搬送する複数の配信波形を伝えるために使用される。ＭＦＮにおいて、コンテンツは、オーバーヘッド情報とともに１つまたは複数のRFチャネル上で送信される。コンテンツと関連したオーバーヘッド情報は、制御およびシグナリングを受信デバイスに提供することによって、それらがデバイス上の希望のコンテンツを選択し、受信し、および復号することを可能にする。
【０００７】
特定のコンテンツと関連したオーバーヘッド情報は、そのコンテンツが搬送される地理的領域に基づいて異なってもよい。その結果、マルチ周波数ネットワークにおける複数のエリアおよび複数のRFチャネル上のコンテンツおよびコンテンツの関連したオーバーヘッド情報の効率的な配信が複雑になる場合がある。
【０００８】
したがって、マルチ周波数ネットワークにおける複数のエリアおよび複数のRFチャネル上のコンテンツおよび関連したオーバーヘッド情報を効率的に配信するように作動する配信メカニズムを有することが望ましいだろう。
【発明の概要】
【０００９】
１つまたは複数の態様において、マルチ周波数ネットワーク上でコンテンツおよび関連したオーバーヘッド情報を効率的に配信するように作動する配信システム（方法および装置を含む）が提供される。
【００１０】
ある態様において、マルチ周波数ネットワークにおけるマルチプレクス配信のための方法が提供される。本方法は、１つまたは複数のサービス層マルチプレクスを生成するために、１つまたは複数のサービス・オーバーヘッドを選択されたコンテンツ・マルチプレクスとそれぞれ結合すること、および選択されたサービス層マルチプレクスが配信されるべきマルチ周波数ネットワークの１つまたは複数の領域を決定することを具備する。本方法はまた、１つまたは複数の配信層マルチプレクスを生成するために１つまたは複数の配信オーバーヘッドを選択されたサービス層マルチプレクスとそれぞれ結合すること、ここにおいて、１つまたは複数の配信オーバーヘッドは、１つまたは複数の領域に基づいてそれぞれ決定される、およびマルチ周波数ネットワークの１つまたは複数の領域上で１つまたは複数の配信層マルチプレクスを送信することを具備する。
【００１１】
ある態様において、マルチ周波数ネットワークにおけるマルチプレクス配信のための装置が提供される。本装置は、１つまたは複数のサービス層マルチプレクスを生成するために１つまたは複数のサービス・オーバーヘッドを選択されたコンテンツ・マルチプレクスとそれぞれ結合し、選択されたサービス層マルチプレクスが配信されるべきマルチ周波数ネットワークのうちの１つまたは複数の領域を決定し、および１つまたは複数の配信層マルチプレクスを生成するために１つまたは複数の配信オーバーヘッドを選択されたサービス層マルチプレクスとそれぞれ結合するように構成されている結合論理を具備する。ここにおいて、１つまたは複数の配信オーバーヘッドは、１つまたは複数の領域に基づいてそれぞれ決定される。本装置はまた、マルチ周波数ネットワークの１つまたは複数の領域にわたって１つまたは複数の配信層マルチプレクスを送信するように構成されている出力論理を具備する。
【００１２】
ある態様において、マルチ周波数ネットワークにおけるマルチプレクス配信のための装置が提供される。本装置は、１つまたは複数のサービス層マルチプレクスを生成するために１つまたは複数のサービス・オーバーヘッドを選択されたコンテンツ・マルチプレクスとそれぞれ結合するための手段と、選択されたサービス層マルチプレクスが配信されるべきマルチ周波数ネットワークのうちの１つまたは複数の領域を決定するための手段と、１つまたは複数の配信層マルチプレクスを生成するために１つまたは複数の配信オーバーヘッドを選択されたサービス層マルチプレクスとそれぞれ結合するための手段であって、１つまたは複数の配信オーバーヘッドが１つまたは複数の領域に基づいてそれぞれ決定される、手段と、およびマルチ周波数ネットワークのうちの１つまたは複数の領域にわたって１つまたは複数の配信層マルチプレクスを送信するための手段と、を具備する。
【００１３】
ある態様において、マルチ周波数ネットワークにおけるマルチプレクス配信のためのコンピューター・プログラム製品が提供される。コンピューター・プログラム製品は、１つまたは複数のサービス層マルチプレクスを生成するために１つまたは複数のサービス・オーバーヘッドを選択されたコンテンツ・マルチプレクスにコンピューターとそれぞれ結合させるための第１のコードセットと、選択されたサービス層マルチプレクスが配信されるべきマルチ周波数ネットワークのうちの１つまたは複数の領域をコンピューターに決定させるための第２のコードセットと、１つまたは複数の配信層マルチプレクスを生成するために１つまたは複数の配信オーバーヘッドを選択されたサービス層マルチプレクスにコンピューターとそれぞれ結合させるための第３のコードセットであって、１つまたは複数の配信オーバーヘッドが１つまたは複数の領域に基づいてそれぞれ決定される、第３のコードセットと、およびマルチ周波数ネットワークのうちの１つまたは複数の領域にわたって１つまたは複数の配信層マルチプレクスをコンピューターに送信させるための第４のコードセットと、を具備する機械可読媒体を具備する。
【００１４】
ある態様において、マルチ周波数ネットワークにおけるマルチプレクス配信のために構成されている少なくとも１つの集積回路が提供される。少なくとも１つの集積回路は、１つまたは複数のサービス層マルチプレクスを生成するために１つまたは複数のサービス・オーバーヘッドを選択されたコンテンツ・マルチプレクスとそれぞれ結合するための第１のモジュールと、選択されたサービス層マルチプレクスが配信されるべきマルチ周波数ネットワークの１つまたは複数の領域を決定するための第２のモジュールと、１つまたは複数の配信層マルチプレクスを生成するために１つまたは複数の配信オーバーヘッドを選択されたサービス層マルチプレクスとそれぞれ結合するための第３のモジュールであって、１つまたは複数の配信オーバーヘッドが１つまたは複数の領域に基づいてそれぞれ決定される、第３のモジュールと、およびマルチ周波数ネットワークの１つまたは複数の領域にわたって１つまたは複数の配信層マルチプレクスを送信するための第４のモジュールと、を具備する。
【００１５】
その他の態様は、以下に記述される「図面の簡単な説明」、「発明の詳細な説明」および「特許請求の範囲」をレビューすることによって明らかになるであろう。
【図面の簡単な説明】
【００１６】
本件明細書において説明される前述の態様は、以下の「発明の詳細な説明」が添付の図面とともに取り上げられるとき、その「発明の詳細な説明」を参照することによっていっそう容易に明白なものとなろう。
【図１】図１は、マルチ周波数ネットワークの２つのワイドエリア上のコンテンツ・マルチプレクスの配信を例示するネットワークを示す図である。
【図２】図２は、図1において例示されているコンテンツ・マルチプレクスが3つのLOIによって利用されるRFチャネルにどのように割り当てられるのかを例示する図を示す。
【図３】図３は、配信システムの態様において使用されるサービス層マルチプレクスおよび配信層マルチプレクスの生成を例示する図を示す。
【図４】図４は、配信層マルチプレクスが配信システムの態様においてどのように配信されるのかを例示するネットワークを示す図である。
【図５】図５は、配信システムの態様において使用される例示的なアグリゲーション論理を示す図である。
【図６】図６は、配信システムの態様において配信マルチプレクスがどのように生成されるのかを例示する図を示す。
【図７】図７は、図1において捕捉される配備に基づくサービスおよび配信マルチプレクスの生成を例示する一例を示す。
【図８】図８は、配信システムの態様において使用される送信フレームの図を示す。
【図９】図９は、配信システムの態様において配信マルチプレクスがマルチ周波数ネットワークのローカル・オペレーション・インフラストラクチャー内にどのように配信されるのかを例示する図を示す。
【図１０】図１０は、配信システムの態様において使用されるコンテンツおよび関連したオーバーヘッドを配信するための方法を示す図である。
【図１１】図１１は、配信システムの態様において使用される例示的なアグリゲーション論理を示す図である。
【発明の詳細な説明】
【００１７】
１つまたは複数の態様において、マルチ周波数ネットワーク上でコンテンツおよび関連したオーバーヘッド情報を効率的に配信するように作動する配信システムが提供される。ある態様において、配信システムは、コンテンツ・データおよび関連したオーバーヘッド情報をマルチ周波数ネットワーク上で伝達される１つまたは複数の配信マルチプレクスの中に結合する。オーバーヘッド情報は、サービス・オーバーヘッドおよび配信オーバーヘッドを具備する。サービス・オーバーヘッドは、コンテンツと関連したサービス層特定制御およびシグナリング情報を含む。例えば、サービス・オーバーヘッドは、コンテンツの一部として搬送されるチャネル／サービスのためのプログラミング・ガイド・データを含む。配信オーバーヘッドは、配信ネットワーク特定制御およびシグナリング情報を含む。例えば、配信オーバーヘッドは、マルチ周波数ネットワークにおいてLOIおよびRFチャネルを識別し、マルチ周波数ネットワークにおいてRFチャネルとこれらのRFチャネル上で搬送されるコンテンツ・フローとの間のマッピングを提供するなどである。ある態様において、配信システムは、同一のコンテンツ・データであるが異なるサービス・オーバーヘッドおよび／または配信オーバーヘッド・データを搬送する１セットの配信マルチプレクスである同等の配信マルチプレクスを識別する。配信システムは、余分な情報の送信を低減することによってマルチ周波数ネットワーク上でこれらの同等の配信マルチプレクスを効率的に送るように作動する。
【００１８】
本システムは、ワイヤレス・ネットワーク環境における使用に適しているが、任意のタイプのネットワーク環境の中で使用されてもよい。これは、通信ネットワーク、公衆ネットワーク（例えば、インターネット）、私設ネットワーク（例えば、仮想私設ネットワーク（VPN））、ローカルエリア・ネットワーク、ワイドエリア・ネットワーク、長距離ネットワーク、または他のタイプのデータ・ネットワークなどが含まれるが、これらに限られるものではない。
【００１９】
定義
配信システムの態様について説明するために、本件明細書において次の定義が使用される。
【００２０】
１．ローカルエリア−１つのビル、一群のビル、コミュニティ、市、郡、またはサービスがブロードキャストされうる他の地域のようなローカルな地理的なエリアをいう。
【００２１】
２．ワイドエリア−郡、州、多数の都市、国、多数の国々、またはサービスがブロードキャストされうる他の広い地域のような広い地理的エリアをいう。
【００２２】
３．コンテンツ−例えば、オーディオ、ビデオ、テキスト、およびメディア・データの任意の他の形態のようなメディア・データをいう。
【００２３】
４．コンテンツ・マルチプレクス−一群のコンテンツ・フローをいう。
【００２４】
５．マルチプレクス・セット−一群のコンテンツ・マルチプレクスをいう。
【００２５】
６．ワイドエリア・マルチプレクス−少なくとも１つの広いエリア上でブロードキャストされる一群のコンテンツ・フローをいう。
【００２６】
７．ローカルエリア・マルチプレクス−少なくとも１つのローカルエリアの上でブロードキャストされる一群のコンテンツ・フローをいう。
【００２７】
８．ワイドエリア・オペレーション・インフラストラクチャー（WOI）−ワイドエリア上でコンテンツ・フローを送信するように作動する一群の送信機および関連したシステムをいう。WOIは、ワイドエリア・マルチプレクスを搬送することができる最小の地理的エリアへマップする。ワイドエリア・マルチプレクスは、１つまたは複数のWOIの上でブロードキャストされることができる。
【００２８】
９．ローカルエリア・オペレーション・インフラストラクチャー（LOI）−ローカルエリアの上でコンテンツ・フローを送信するように作動する一群の送信機および関連したシステムをいう。LOIは、ローカルエリア・マルチプレクスを搬送することができる最小の地理的ローカルエリアへマップする。ローカルエリア・マルチプレクスは、１つまたは複数のLOI上でブロードキャストされることができる。LOIは、１つまたは複数のWOIに属していてもよい。
【００２９】
１０．RFチャネル−選択されたLOI上でコンテンツ配信波形を伝えるために使用される周波数帯域をいう。
【００３０】
１１．コンテンツ・チャネル−特定の配信波形内の選択されたコンテンツ・フローをいう。例えば、配信波形は、複数のコンテンツ・チャネルを具備し、また各々のコンテンツ・チャネルは、１つまたは複数のコンテンツ・フローを具備することができる。
【００３１】
頭文字
次の頭文字は、本件明細書において、配信システムの態様を記述するために使用される。
【００３２】
LM−ローカルエリア・マルチプレクス
WM−ワイドエリア・マルチプレクス
NOC−ネットワーク・オペレーション・センター
LOI−ローカル・オペレーション・インフラストラクチャー
WOI−ワイド・オペレーション・インフラストラクチャー
VM−垂直型のマルチプレクス
VMFN−垂直型のマルチ周波数ネットワーク
HMFN−水平型のマルチ周波数ネットワーク
序文
図１は、２つのワイドエリア・インフラストラクチャー（WOI1およびWOI2）上のワイドおよびローカルコンテンツ・マルチプレクスの配信を例示するネットワーク100を示す。例えば、第１のワイドエリア・マルチプレクス（WM1）は、WOI1およびWOI2上の両方で配信される。WOI1は、LOI1、およびLOI2を具備する。WOI2は、LOI3およびLOI4を具備する。第２のワイドエリア・マルチプレクス（WM2）はまた、WOI1上で配信され、および第３のワイドエリア・マルチプレクス（WM3）は、WOI2にわたって配信される。加えて、第１のローカルエリア・マルチプレクス（LM1）は、LOI1、LOI2、およびLOI3上で配信され、第２のローカルエリア・マルチプレクス（LM2）は、LOI1およびLOI2上で配信され、および第３のローカルエリア・マルチプレクス（LM3）は、LOI3上で配信される。さらに、第４のローカル・マルチプレクス（LM4）および第５のローカル・マルチプレクス（LM5）は、LOI4上で配信される。図1において示される各々のLOIは、各々の関連するローカル領域にわたってワイドおよびローカル・マルチプレクスをブロードキャストするために少なくとも２つのRFチャネルを利用すると仮定される。
【００３３】
図２は、図1において例示されるコンテンツ・マルチプレクスが3つのLOIによって利用されるRFチャネルにどのように割り当てられるのかを例示する図200を示す。例えば、LOI1、LOI2、およびLOI3によって利用されるRFチャネルが図200において示される。LOI1およびLOI2は、コンテンツおよび関連したオーバーヘッド情報を搬送するために第１のRFチャネル（RF1）および第２のRFチャネル（RF2）を利用する。LOI3は、コンテンツおよび関連するオーバーヘッド情報を搬送するために第３のRFチャネル（RF3）および第４のRFチャネル（RF4）を利用する。
【００３４】
RFチャネルの各々は、選択されたコンテンツおよび／またはサービスをそれらのそれぞれのエリアにおけるデバイスに伝える１つまたは複数のマルチプレクスを搬送する。例えば、LOI1およびLOI2において、チャネルRF1は、（WM1、LM1）を伝え、RF2は、（WM2、LM2）を伝え、またLOI3において、チャネルRF3は、（WM1、LM1）を伝え、チャネルRF4は、（WM3、LM3）を伝えるということがこの説明のために仮定されている。地理的な領域および関連した垂直型のマルチプレクス・セットにも依存して、コンテンツ・マルチプレクスと関連したオーバーヘッド情報が異なるかもしれないということが注目されるべきである。垂直型のマルチプレクス・セット（VMセット）は、LOIにおいて搬送されるコンテンツ・マルチプレクスの固有の組み合わせとして定義される。VMセットは、ワイドおよびローカルコンテンツ・マルチプレクスについて別々に定義される。同じVMセットは、複数のLOIにおいても搬送されてもよい。図２において、LOI1およびLOI2は、同じワイドVMセット（WM1、WM2）および同じローカルVMセット（LM1、LM2）を搬送し、LOI3は、ワイドVMセット（WM1、WM3）およびローカルVMセット（LM1、LM3）を搬送する。したがって、図２において、異なる地理的領域およびこれらの領域における異なる関連したワイドVMセットのために、LOI2におけるWM1と関連したオーバーヘッド情報は、LOI3におけるWM1と関連したオーバーヘッド情報とは異なる場合がある。WM1と関連したオーバーヘッド情報は、サービス・オーバーヘッドおよび配信オーバーヘッドからなるということに注意せよ。
【００３５】
図３は、配信システムの態様において使用されるサービス層マルチプレクスおよび配信層マルチプレクスの生成を例示するブロック図300を示す。サービス層マルチプレクスおよび配信層マルチプレクスは、ワイドおよびローカル・マルチプレクスのために別々に生成される。ある態様において、コンテンツ層マルチプレクスを表わすコンテンツ・データ302は、サービス層マルチプレクス306を形成するために、サービス・オーバーヘッド304に含まれるサービス特定制御およびシグナリング情報と結合される。例えば、サービス・オーバーヘッド304は、コンテンツ・データにおいて利用可能なさまざまなコンテンツ・フローを識別する情報を提供し、および例えば、ユーザーがコンテンツ・フローにアクセスすることを可能にするプログラミング・ガイド情報を提供する。サービス・オーバーヘッド304は、コンテンツ・マルチプレクスがブロードキャストされる異なる領域について異なってもよい。例えば、プログラミング・ガイド・データは、VMセットにおけるすべてのマルチプレクス上で搬送されるすべてのサービスについて統合した方法で生成されてもよい。したがって、図２において、WM1がLOI1およびLOI2において２つの異なるワイドVMセットと関連させられるので、WM１と関連したサービス・オーバーヘッドは、LOI1およびLOI2において異なってもよい。
【００３６】
サービス・マルチプレクス306は、配信オーバーヘッド310に含まれる配信ネットワーク特定制御およびシグナリング情報と結合されて、配信層マルチプレクス308となる。配信オーバーヘッド310は、例えば、マルチ周波数ネットワーク上でコンテンツ・フローを配信するために使用されるLOIおよびRFチャネルを識別し、およびコンテンツ・フローおよびサービス・オーバーヘッドを復号するために使用される関連した解読シーケンスを識別するための情報を提供することができる。配信オーバーヘッド310はまた、RFチャネルとマルチ周波数ネットワーク内に搬送されるコンテンツ・フローとの間のマッピング情報を提供することができる。
【００３７】
配信層マルチプレクス308は、マルチ周波数ネットワークにおける配信波形の一部としてデバイスに配信される。上で説明されたように、ある与えられたコンテンツ・マルチプレクスに関連するサービス・オーバーヘッドおよび配信オーバーヘッドは、そのコンテンツ・マルチプレクスがブロードキャストされる地理的領域（LOI）およびそれらの領域内の関連するVMセットに基づいて、異なるものである可能性がある。コンテンツ・データ302、サービス・オーバーヘッド304、および配信オーバーヘッド310の各々の固有の組み合わせは、配信層マルチプレクスを形成する。１つまたは複数の配信層マルチプレクスが各々のコンテンツ・マルチプレクスについて生成される。これは、そのコンテンツ・マルチプレクスと関連したさまざまなサービス・オーバーヘッドおよび配信オーバーヘッドに依存する。したがって、配信システムの態様において、１つまたは複数の配信層マルチプレクスがマルチ周波数ネットワーク上の配信のために生成される。ある態様において、同一のコンテンツ・データと関連させられるすべての配信層マルチプレクスは、同等の配信層マルチプレクスとして識別される。例えば、LOI1、LOI2、およびLOI3における配信のためのWM1のために生成される配信層マルチプレクスは、同等の配信マルチプレクスとして識別されるだろう。同等の配信マルチプレクスのあらゆるセットについて、コンテンツ・データのたった１つの実例が、復路送信帯域幅を最適化するために、ネットワーク・オペレーション・センター（NOC）から送信機サイトへ送信される。
【００３８】
図４は、配信システムの態様において、配信層マルチプレクスがどのように配信されるのかを例示するネットワーク400を示す。例えば、ネットワーク400は、図1において示されるネットワーク100の一部である。ネットワーク400は、ネットワーク・オペレーション・センター（NOC）402、LOI2、およびLOI3を具備する。
【００３９】
NOC402は、マルチ周波数ネットワークの選択されたWOIおよびLOI上で配信するためにワイドおよびローカルコンテンツ・マルチプレクスを受信するように作動する。NOC402はまた、ワイドおよびローカルコンテンツ・マルチプレクスと関連した適切なオーバーヘッド情報を生成するために制御およびシグナリング情報を受信するように作動する。NOC402は、コンテンツおよび関連したオーバーヘッド情報を配信するためにマルチ周波数ネットワークを構成するように作動する。これを遂行するために、NOC402は、ネットワークの地理的領域と、各領域で使用されるRFチャネルと、ネットワークを構成しワイドおよびローカルコンテンツ・マルチプレクスおよび関連したオーバーヘッド情報を配信するために必要とされるかもしれない他の任意のネットワーク情報とを知っている。
【００４０】
ある態様において、NOC402は、アグリゲーション論理404を具備する。アグリゲーション論理404は、サービス層マルチプレクスを生成するために選択されたコンテンツ・マルチプレクスを関連したサービス・オーバーヘッド情報と結合するように作動する。サービス・オーバーヘッドは、サービス特定制御情報（例えば、プログラミング・ガイド、加入契約パッケージなどのリスト）を識別する。異なる関連したVMセットのために、与えられたコンテンツ・マルチプレクスと関連したサービス・オーバーヘッドは、コンテンツ・マルチプレクスが搬送される異なる領域において異なるかもしれない。例えば、LOI2およびLOI3において異なる関連したVMセットのために、コンテンツ・マルチプレクスWM1（図2）のために送信されるプログラミング・ガイド・データは、LOI2およびLOI3について異なる場合がある。関連したVMセット（WM1およびWM2）におけるマルチプレクスのためのサービス／チャネル情報を含む第１の統合プログラミング・ガイドは、LOI2においてWM1といっしょに送信されてもよく、関連したVMセット（WM1およびWM3）におけるマルチプレクスのためのサービス／チャネル情報を含む第２の統合プログラミング・ガイドは、LOI3においてWM1といっしょに送信されてもよい。これに基づいて、アグリゲーション論理404は、コンテンツ・マルチプレクスWM1のために２つの異なるサービス・マルチプレクスを作成するだろう。１つは、LOI2のため、およびもう１つは、LOI3のためである。したがって、アグリゲーション論理404は、各々のコンテンツ・マルチプレクスのために、そのコンテンツ・マルチプレクスと関連したサービス・オーバーヘッド情報の異なるセットに基づいて、１つまたは複数のサービス層マルチプレクスを生成するように作動する。
【００４１】
アグリゲーション論理404は、各々のサービス層マルチプレクスを関連した配信オーバーヘッド情報と結合して配信層マルチプレクスを生成するようにさらに作動する。配信オーバーヘッドは、配信ネットワーク特定制御情報（例えば、現在のおよび近隣のLOIに配備されるRFチャネルのリスト、RFチャネルとこれらのRFチャネル上で搬送されるコンテンツ・フローとの間のマッピング、ワイドおよびローカル・インフラストラクチャー識別子（WOIおよびLOI識別子）など）を識別する。ある与えられたサービス・マルチプレクスに関連する配信オーバーヘッドは、サービス・マルチプレクスが搬送される異なる領域では、異なるものである可能性がある。というのは、これらの領域についての関連するインフラストラクチャー（WOIおよびLOI）が異なり、かつこれらの領域についてのRFチャネル配備が異なるからである。例えば、現在のおよび近隣のLOIにおけるRFチャネル配備のリストは、LOI2およびLOI3について異なるだろう。これに基づいて、アグリゲーション論理404は、LOI2およびLOI3上での配信のために、WM1と関連した２つの配信層マルチプレクスをそれぞれ作成するだろう。したがって、アグリゲーション論理404は、各々のサービス・マルチプレクスのために、１つまたは複数の配信層マルチプレクスを、そのサービス・マルチプレクスと関連した配信オーバーヘッド情報の異なるセットに基づいて生成するように作動する。アグリゲーション論理404はまた、生成された配信層マルチプレクスから同等の配信層マルチプレクスの１つまたは複数のセットを識別するように作動する。アグリゲーション論理404のより詳細な説明は、本件明細書の別のところで提供される。
【００４２】
NOC402は、配信層マルチプレクスをネットワーク400におけるLOIに送信するように作動する。２つのLOIのみが示されているが、NOC402は、配信マルチプレクスを任意の数のLOIに送信することができるということに注意すべきである。
【００４３】
ある態様において、LOI2およびLOI3は、１つまたは複数の送信機サイトを具備する。例えば、LOI2は、送信機サイト406および408を具備し、LOI3は、送信機サイト410および412を具備する。各々の送信機サイトは、情報をそのそれぞれのLOI上で、選択されたRFチャネル上で送信するように作動する。例えば、送信機サイト406は、RFチャネル（RF1）を使用してLOI2上で情報を送信する。
【００４４】
ある態様において、NOC402は、配信層マルチプレクス414を送信機サイトに効率的に送信するように作動する。同等の配信層マルチプレクスのあらゆるセットについて、NOC402は、復路送信帯域幅の使用を最適化するためにコンテンツ・データの１つの実例のみを送信機サイトに送信する。例えば、アグリゲーション論理404は、図で示されるように、LOI2およびLOI3のためにWM1のための２つの配信層マルチプレクス（426、428）を生成するように作動する。配信マルチプレクス426、428は、同じコンテンツ・マルチプレクスWM1（コンテンツWM1）および異なるサービス・オーバーヘッド（S1およびS2）および配信オーバーヘッド（D1およびD2）と関連させられているので、配信マルチプレクス426、428は、同等のマルチプレクスである。NOC402は、430に例示されるように、配信層マルチプレクス426、428を送信機サイトに送信する。コンテンツ・データ成分（コンテンツWM1）のたった１つの実例がサービス・オーバーヘッド成分（S1およびS2）および配信オーバーヘッド成分（D1およびD2）といっしょに送信される。したがって、NOC402は、配信層マルチプレクス426および428を送信するために必要な復路帯域幅上で最適化する。
【００４５】
NOC402は、414に例示されるように、任意の適切なトランスポート機構を使用して配信層マルチプレクスを送信機サイトに送信するように作動する。配信層マルチプレクスの各々の成分（コンテンツ、サービス・オーバーヘッドおよび配信オーバーヘッド）は、選択されたトランスポート機構を使用して送信のためにトランスポート識別子を割り当てられる。例えば、ある態様において、NOC402は、MPEG−2トランスポート機構414を使用して配信マルチプレクスを送信機サイトに送信する。この構成において、配信マルチプレクスの各々の成分は、MPEG−2トランスポート識別子を割り当てられるので、各々の送信機サイトは、関連したLOIにおける送信の目標とされる配信マルチプレクスに関連させられる適切な成分を検出し、受信するためにトランスポート識別子を使用することができる。配信オーバーヘッド、サービス・オーバーヘッド、および配信マルチプレクスのコンテンツ・データ成分は、異なるトランスポート識別子を割り当てられる。
【００４６】
ある態様において、送信機サイトにおけるサーバーは、それらがそれぞれのLOI上で送信を行なう目的のために配信マルチプレクスのどの特定の成分が意図されているかを決定するために、トランスポート識別子を使用する。その後、（複数の）サーバーは、サーバーのそれぞれの配信層マルチプレクスの異なる成分を送信のための送信フレームにパックするように作動する。サーバーは、配信層マルチプレクス成分を送信のための送信フレームにパックするために任意の適切な物理層プロセスを利用する。
【００４７】
ある態様において、送信機サイト406は、416に示されるように、RFチャネル（RF1）を使用してLOI2上でその送信フレームを送信するように作動し、および送信機サイト408は、418において示されるように、RFチャネル（RF2）を使用してLOI3上で送信フレームを送信するように作動する。複数のRFチャネルを使用することによって、ネットワーク100は、各々のLOI上で、より多くの配信層マルチプレクスを送信することができる。同様の方法で、送信機サイト410および412は、RF3およびRF4を使用してLOI3におけるデバイスへの送信のために、NOC402から配信層マルチプレクスを受信するように作動する。送信機サイト406、408、および410、412は、それらのそれぞれのLOI内にいっしょに配置されてもよく、または任意の希望の距離によって分離されていてもよい。送信機サイト406および410におけるサーバーは、432および434に例示されるように、トランスポート層から適切な配信マルチプレクス成分を受信し、およびそれらのそれぞれのLOI上でこれらの成分を送信するように作動する。
【００４８】
ある態様において、デバイス420は、選択された送信フレームを受信するために、LOI2における選択されたRFチャネルに周波数を合わせるように作動する受信機422を具備する。例えば、受信機422は、送信機サイト406から送信フレーム416を受信するために、RFチャネル（RF1）に周波数を合わせるように作動する。受信される送信フレームは、アグリゲーション論理404によって生成される配信層マルチプレクス（ワイドおよびローカル配信マルチプレクス）を具備する。
【００４９】
受信機422は、受信された送信フレームを復号器424へ渡す。復号器424は、関連したコンテンツ・マルチプレクスをデバイス・ユーザーに選択させおよび表現させることを可能にするために配信層マルチプレクスを復号するように作動する。例えば、サービス・オーバーヘッドは、復号されるべきコンテンツをユーザーが選択することを可能にするために使用され、および配信オーバーヘッドは、選択されたコンテンツを復号することを可能にするために使用される。例えば、サービス・オーバーヘッドは、表現するためにデバイス上で特定のサービス／チャネルを選択するために使用されるプログラミング・ガイド・データを含み、および配信オーバーヘッドは、コンテンツ・フローからRFチャネルへのマッピング情報を提供し、選択されたコンテンツを復号するために使用されてもよいRFチャネルと関連した解読シーケンス識別子をも提供する。
【００５０】
したがって、配信システムの態様は、マルチ周波数ネットワーク上でコンテンツおよび関連したオーバーヘッド情報を効率的に配信するように作動する。ネットワーク400は、１つの実装を示すに過ぎず、さまざまな態様の範囲の中でその他の実装も可能であるということに注意すべきである。
【００５１】
図５は、配信システムの態様において使用されるアグリゲーション論理500を示す。例えば、アグリゲーション論理500は、図4において示されるアグリゲーション論理404として使用されるのに適している。アグリゲーション論理500は、結合論理502、マルチプレクス・セット論理504、マルチプレクス入力論理506、および出力論理508を具備する。これらはすべてデータ・バス520に連結されている。
【００５２】
マルチプレクス入力論理506は、CPU、プロセッサー、ゲート・アレー、ハードウェア論理、メモリー要素、および／またはソフトウェアを実行するハードウェアのうちの少なくとも１つを具備する。マルチプレクス入力論理506は、マルチ周波数配信ネットワークのワイドおよびローカル領域上で配信されるべき１つまたは複数のワイドおよび／またはローカルエリア・コンテンツ・マルチプレクス512を受信するように作動する。
【００５３】
マルチプレクス・セット論理504は、CPU、プロセッサー、ゲート・アレー、ハードウェア論理、メモリー要素、および／またはソフトウェアを実行するハードウェアのうちの少なくとも１つを具備する。マルチプレクス・セット論理504は、受信コンテンツ・マルチプレクスが１つまたは複数の垂直型のマルチプレクス・セットに関連させられているかどうかを検出するように作動する。ある態様において、ワイドエリア垂直型マルチプレクス・セットは、選択されたLOIにおいて送信されるすべてのワイドエリア・マルチプレクスを具備し、およびローカルエリア垂直型マルチプレクス・セットは、選択されたLOIにおいて送信されるすべてのローカルエリア・マルチプレクスを具備する。ある態様において、コンテンツ・マルチプレクスが複数の垂直型マルチプレクス・セットに属する場合：それは、各々のマルチプレクス・セットについて異なるサービス・オーバーヘッドおよび配信オーバーヘッド情報と関連させられてもよい。マルチプレクス・セット論理504はまた、受信されたコンテンツ・マルチプレクスが１つまたは複数のインフラストラクチャー（WOIおよびLOI）上で搬送されるかどうかを検出するように作動する。ある態様において、コンテンツ・マルチプレクスが複数のインフラストラクチャー上で搬送される場合：それは、これらのインフラストラクチャーの各々について異なる配信オーバーヘッド情報に関連されてもよい。
【００５４】
結合論理502は、CPU、プロセッサー、ゲート・アレー、ハードウェア論理、メモリー要素、および／またはソフトウェアを実行するハードウェアのうちの少なくとも１つを具備する。結合論理502は、コンテンツ・マルチプレクスがマルチ周波数ネットワークにおいてどのように配信されるべきかを決定するように作動する。例えば、結合論理502は、コンテンツ・マルチプレクスおよびマルチプレクス・セットがネットワーク上でどのように配信されるべきかを決定するためにマルチプレクス・セット論理504によって提供される情報を利用する。結合論理502は、マルチプレクス・セット論理504から受信される関連したマルチプレクス配信情報に基づいて各々のコンテンツ・マルチプレクスと関連した１つまたは複数のサービス・オーバーヘッドおよび配信オーバーヘッドを決定するように作動する。結合論理502は、サービス層マルチプレクスを生成するために、関連した１つまたは複数のサービス・オーバーヘッド情報をコンテンツ・マルチプレクスに追加するように作動する。例えば、コンテンツ・マルチプレクスは、コンテンツについて記述するプログラミング・ガイドのような情報を含むサービス・オーバーヘッドと結合される。その後、結合論理502は、配信層マルチプレクスを生成するために１つまたは複数の関連した配信オーバーヘッド情報をサービス・マルチプレクスに追加する。配信オーバーヘッドは、マルチ周波数ネットワークにおいて配信層マルチプレクスをデバイスに送信するために使用されるLOIおよびRFチャネルについて記述する。
【００５５】
ある態様において、結合論理502は、マルチ周波数ネットワーク上で配信されるべき１セットの同等の配信層マルチプレクスを識別するように作動する。例えば、同一のコンテンツ・データを具備するが異なるサービス・オーバーヘッドおよび配信オーバーヘッドを具備する配信マルチプレクスは、同等のマルチプレクスとして識別される。同等のマルチプレクスがいったん識別されると、結合論理502は、この情報を出力論理508へ渡すように作動する。結合論理502のオペレーションのより詳細な説明は、本件明細書の別のところで提供される。
【００５６】
出力論理508は、CPU、プロセッサー、ゲート・アレー、ハードウェア論理、メモリー要素、および／またはソフトウェアを実行するハードウェアのうちの少なくとも１つを具備する。出力論理508は、マルチ周波数ネットワークにおいてLOIと関連させられた送信機による配信のために配信層マルチプレクスを出力するように作動する。例えば、出力論理508は、トランスポート機構の任意のタイプを使用してマルチ周波数ネットワークにおいて送信機サイトへ配信層マルチプレクスを出力するように作動する。
【００５７】
ある態様において、出力論理508は、送信機サイトへの送信のためにトランスポート識別子を配信マルチプレクスの異なる成分に割り当てるように作動する。復路帯域幅の使用を最適化するために、出力論理508は、同等の配信マルチプレクスの各々のセットのためのコンテンツ・データの１つの実例のみを送信する。異なるサービス・オーバーヘッド、配信オーバーヘッド、および同等のマルチプレクスの各々のセットについての共通のコンテンツ・データはその後、任意の選択されたトランスポート機構を使用して出力論理508によって送信機サイトへ送信される。
【００５８】
ある態様において、配信システムは、機械可読媒体に格納されたまたは具体化された１つまたは複数のプログラム命令（「命令」）または「コードのセット」を具備するコンピューター・プログラム製品を具備している。これは、少なくとも１つのプロセッサー（例えば、結合論理502におけるプロセッサー）によって実行されるとき、本件明細書において説明されている機能を提供するものである。例えば、コードセットは、フレキシブル・ディスク、CDROM、メモリー・カード、フラッシュ・メモリー・デバイス、RAM、ROM、またはその他のメモリー・デバイスまたは機械可読媒体であってアグリゲーション論理500とインターフェースするような機械可読媒体からアグリゲーション論理500へダウンロードされてもよい。他の態様において、コードセットは、外部デバイスかまたはネットワーク資源からアグリゲーション論理500へダウンロードされてもよい。コードセットは、実行されるとき、本件明細書において説明されている配信システムの態様を提供する。
【００５９】
図６は、配信システムの態様においてどのようにサービス・マルチプレクスおよび配信マルチプレクスが生成されるのかを例示するブロック600を示す。例えば、図5に示されるアグリゲーション論理500は、図6に例示されるようにサービス・マルチプレクスおよび配信マルチプレクスを生成するように作動する。
【００６０】
ある態様において、ワイドまたはローカルコンテンツ・マルチプレクスを表わすコンテンツ・マルチプレクス・データ602は、最大でN個のサービス層マルチプレクス606を提供するために異なるサービス・オーバーヘッド情報と結合される。例えば、単一のコンテンツ・マルチプレクスと関連した各々のサービス・マルチプレクスのサービス・オーバーヘッドは、異なるだろう。N個のサービス層マルチプレクス606は、マルチ周波数ネットワークにおいていくつかのWOI／LOI上で配信されてもよい。ある態様において、結合論理502は、１つまたは複数のサービス層マルチプレクス606を作るために１つまたは複数のサービス・オーバーヘッド604をコンテンツ・マルチプレクス・データ602に追加するように作動する。
【００６１】
サービス層マルチプレクス606は、最大でN個の配信層マルチプレクス610を作るために配信オーバーヘッド情報608と結合される。例えば、単一のサービス・マルチプレクスと関連した各々の配信マルチプレクスの配信オーバーヘッドは、異なるだろう。ある態様において、結合論理502は、１つまたは複数の配信層マルチプレクス610を作るためにサービス・マルチプレクスを１つまたは複数の配信オーバーヘッド608と結合するように作動する。
【００６２】
同じコンテンツ・マルチプレクスと関連した異なる配信層マルチプレクスは、同等のマルチプレクスとして呼ばれ、およびこれらは、同等のマルチプレクス・セットを形成する。例えば、図6において示される配信マルチプレクスは、同じコンテンツ・マルチプレクス602と関連させられるので、同等のマルチプレクス・セットの一部である。同じコンテンツ・マルチプレクス602と関連したあらゆるサービス・マルチプレクス606と関連させられたすべての配信マルチプレクスのセットは、完全な同等のマルチプレクス・セットを形成する。ある態様において、配信システムは、復路帯域幅の使用を最適化するために同等の配信マルチプレクス・セットにおけるすべての配信マルチプレクスのためにコンテンツ・データの１つの実例のみを送信することによって送信機サイトに同等の配信マルチプレクスを効率的に送信するように作動する。
【００６３】
図７は、ネットワーク100において取り込まれる配備のためのサービス・マルチプレクスの生成および配信マルチプレクスを例示する一例を示す。ある態様において、アグリゲーション論理404は、サービス・マルチプレクスおよび配信マルチプレクスを生成するように作動する。ワイドコンテンツ・マルチプレクスWM1は、コンテンツ・マルチプレクスWM1と関連した２つの異なるワイドVMのための２つの異なるワイド・サービス・マルチプレクス（WSM1およびWSM2）にマップされる。関連したVMセット｛WM1、WM2｝が搬送される場合、WSM1は、WOI1と関連した第１のワイド配信マルチプレクス（WDM1）へマップする。関連したVMセット｛WM1、WM3｝が搬送される場合、WSM2は、WOI2と関連した第２のワイド配信マルチプレクス（WDM2）へマップする。ローカルコンテンツ・マルチプレクスLM1は、コンテンツ・マルチプレクスLM1と関連した２つの異なるローカルVMセットのために２つの異なるローカル・サービス・マルチプレクス（LSM1およびLSM2）へマップされる。関連したVMセット｛LM1、LM2｝が搬送される場合、LSM1は、L OI1およびLOI2にそれぞれ関連した２つの異なるローカル配信マルチプレクス（LDM1およびLDM1）へマップする。関連したVMセット｛LM1、LM3｝が搬送される場合、LSM2は、LOI3と関連した第３のローカル配信マルチプレクス（LDM3）へマップする。
【００６４】
図８は、配信システムの態様において使用される送信フレーム800の図を示す。例えば、送信フレーム800は、配信マルチプレクスによりパックされてもよく、および図4において示される送信機サイトのうちの１つまたは複数によって送信されてもよい。
【００６５】
送信フレーム800は、一般に802において示される、4つのサブフレームを具備する。それらは、ワイドおよびローカル・コンテンツを伝えるために使用される。例えば、各々のサブフレーム802は、ワイドエリア・コンテンツによりパックされるワイドエリア分割804、およびローカルエリア・コンテンツによりパックされるローカルエリア分割806を具備する。
【００６６】
ワイドエリア分割804に含まれるものは、ワイドエリア分割層マルチプレクス826である。ワイドエリア分割層マルチプレクス826は、ワイドエリア・コンテンツおよび関連したサービスおよび配信オーバーヘッド情報をデバイスに伝える。ローカルエリア分割806に含まれるものは、ローカルエリア分割マルチプレクス828である。ローカルエリア分割マルチプレクス828は、ローカルエリア・コンテンツおよび関連したサービスおよび配信オーバーヘッド情報をデバイスに伝える。
【００６７】
送信フレーム800の最初にあるのは、サブフレーム802におけるワイドエリア配信マルチプレクス826およびローカルエリア配信マルチプレクス828の部分として搬送されるコンテンツおよびオーバーヘッド情報を位置するために使用される制御情報を提供するオーバーヘッド情報シンボル（OIS）812である。OIS812は、ワイドエリア分割804のための制御情報を具備するワイドOIS部分814、およびローカルエリア分割806のための制御情報を具備するローカルOIS部分816を具備する。
【００６８】
ある態様において、ワイドエリア分割804は、ワイドコンテンツ808、サービス・オーバーヘッド818および配信オーバーヘッド820の第１の部分を伝える。これは、ワイドエリア分割マルチプレクス826と関連している。配信オーバーヘッド820の第２の部分がワイドOIS814において搬送される。ローカルエリア分割806は、ローカル・コンテンツ810、サービス・オーバーヘッド822および配信オーバーヘッド824の第１の部分を伝える。これは、ローカルエリア配信マルチプレクス828と関連している。配信オーバーヘッド824の第２の部分がローカルOIS816において搬送される。
【００６９】
図９は、配信システムの態様におけるマルチ周波数ネットワークのLOI内で配信マルチプレクスがどのように配信されるのかを例示するブロック図900を示す。例えば、送信機サイト406、408、410、および412は、LOI2およびLOI3内で配信マルチプレクスを配信するように作動する。ある態様において、各々の送信機サイトは、NOC402から配信マルチプレクスを受信するように作動する。配信マルチプレクスは、配信オーバーヘッド、サービス・オーバーヘッド、および関連したコンテンツ・データを具備する。各々の送信機は、そのLOIのために意図される配信マルチプレクスの適切な成分を得る、および配信マルチプレクスはその後、割り当てられるRFチャネル上の関連したLOI上での送信のために送信フレーム内にパックされる。
【００７０】
配信マルチプレクス902、904、906、および908が配信オーバーヘッド、サービス・オーバーヘッド、およびワイドおよびローカルコンテンツ・マルチプレクスを具備すると仮定する。したがって、ワイドエリア・マルチプレクス（WM1、WM2）は、LOI2上で配信されるべきすべてのワイドエリア・コンテンツ・マルチプレクスを具備する。ローカルエリア・マルチプレクス（LM1、LM2）は、LOI2上で配信されるべきすべてのローカルエリア・マルチプレクスを具備する。
【００７１】
LOI2は、２つのRFチャネル（RF1、RF2）を具備する。２つのRFチャネルは、送信フレーム910および912を送信するためにそれぞれ使用される。各々の送信フレームは、OIS、およびワイド（W）およびローカル（L）データ分割を具備する。LOI2において、配信マルチプレクス902は、送信フレーム912のワイド分割内で配信される。ワイド配信マルチプレクス902と関連させられている配信オーバーヘッドの部分はまた、OISの部分として配信される。配信マルチプレクス904は、送信フレーム912のローカル分割内に配信される。ローカル配信マルチプレクス904と関連させられている配信オーバーヘッドの部分もまた、OISの部分として配信される。RF1上で配信される配信マルチプレクス906および908に関してLOI2内で同様の配信が行なわれる。図9において例示される配信マルチプレクスの各々は、異なるサービス・オーバーヘッドおよび配信オーバーヘッドを有するということに注意すべきである。
【００７２】
図10は、配信システムの態様において使用される方法1000を示す。明瞭さのために、本件明細書では、方法1000は、図5に示されるアグリゲーション論理500を参照して説明される。例えば、ある態様において、結合論理502は、下で記述される機能を行なうためのアグリゲーション論理500を制御するためのコードの１つまたは複数のセットを実行する。
【００７３】
ブロック1002において、１つまたは複数のワイドおよび／またはローカルコンテンツ・マルチプレクスは、マルチ周波数ネットワーク上の配信のために受信される。例えば、マルチプレクスは、図4において示されるNOC402において受信される。
【００７４】
ブロック1004において、コンテンツ・マルチプレクスの配信が決定される。例えば、結合論理502は、WOIおよびLOIを選択するためにワイドエリアおよびローカルエリア・コンテンツ・マルチプレクスの配信を決定するように作動する。
【００７５】
ブロック1006において、１つまたは複数のサービス・オーバーヘッドがWOIおよびLOI上のコンテンツ・マルチプレクス配信情報に基づいて各々のコンテンツ・マルチプレクスについて決定される。例えば、結合論理502は、WOIおよびLOIに関連したコンテンツ・マルチプレクスの配信に基づいて各々のコンテンツ・マルチプレクスについて１つまたは複数のサービス・オーバーヘッドを決定するように作動する。
【００７６】
ブロック1008において、サービス・マルチプレクスがコンテンツ層マルチプレクスから生成される。例えば、結合論理502は、１つまたは複数のサービス・オーバーヘッドを関連したコンテンツ・マルチプレクスと結合することによって、そのコンテンツ・マルチプレクスのために１つまたは複数のサービス層マルチプレクスを生成するように作動する。
【００７７】
ブロック1010において、サービス層マルチプレクスの配信が決定される。例えば、結合論理502は、WOIおよびLOIを選択するためにワイドエリアおよびローカル・サービス・マルチプレクスの配信を決定するように作動する。
【００７８】
ブロック1012において、１つまたは複数の配信オーバーヘッドがWOIおよびLOI上のサービス・マルチプレクス配信情報に基づいて各々のコンテンツ・マルチプレクスのために決定される。例えば、結合論理502は、関連したサービス・マルチプレクスのWOIおよびLOIへの配信に基づいて、各々のサービス・マルチプレクスのために、１つまたは複数の配信オーバーヘッドを決定するように作動する。
【００７９】
ブロック1014において、サービス層マルチプレクスが配信層マルチプレクスを生成するために配信オーバーヘッドと結合される。例えば、結合論理502は、１つまたは複数の配信層マルチプレクスを作るために各々のサービス・マルチプレクスを１つまたは複数の関連した配信オーバーヘッドと結合するように作動する。
【００８０】
ブロック1016において、同等の配信層マルチプレクスの１つまたは複数のセットが識別される。例えば、同等の配信層マルチプレクス・セットは、すべてのそれらの配信層マルチプレクスを具備する。それは、同じコンテンツ・データであるが異なるサービス・オーバーヘッドおよび／または配信オーバーヘッドを搬送する。ある態様において、結合論理502は、同等の配信マルチプレクスのセットを識別するように作動する。
【００８１】
ブロック1018において、配信層マルチプレクスは、マルチ周波数ネットワーク上の配信のための送信機サイトに送信される。例えば、配信層マルチプレクスは、任意の適切なトランスポート機構を使用してNOC402から送信機サイトへ送るために出力論理508から出力される。配信層マルチプレクスの異なる成分（コンテンツ・データ、サービス・オーバーヘッド、および配信オーバーヘッド）は、送信機サイトへの送信のためにトランスポート識別子を割り当てられる。ある態様において、出力論理508は、復路帯域幅の使用を最適化するために同等の配信マルチプレクスの各々のセットのためにコンテンツ・データの１つの実例を送信機サイトに送信する。
【００８２】
したがって、方法1000は、配信システムの態様を提供するように作動する。方法1000は、１つの実装を示すに過ぎず、態様の範囲の中でその他の実装も可能であるということに注意すべきである。
【００８３】
図11は、配信システムの態様における使用のためのアグリゲーション論理1100を表わす。例えば、アグリゲーション論理1100は、図5において示されるアグリゲーション論理500として使用するのに適している。ある態様において、アグリゲーション論理1100は、本件明細書において説明されるような配信システムの態様を提供するように構成されている少なくとも１つのプロセッサーを具備する１つまたは複数のモジュールによって実装される。例えば、ある態様において、各々のモジュールは、ハードウェアおよび／またはソフトウェアを実行するハードウェアを具備する。
【００８４】
アグリゲーション論理1100は、１つまたは複数のサービス層マルチプレクスを生成するために１つまたは複数のサービス・オーバーヘッドを選択されたコンテンツ・マルチプレクスとそれぞれ結合するための手段（1102）を具備する第１のモジュールを具備する。ある態様において、それは、結合論理502を具備する。アグリゲーション論理1100はまた、選択されたサービス層マルチプレクスが配信されるべきマルチ周波数ネットワークの１つまたは複数の領域を決定するための手段（1104）を具備する第２のモジュールを具備する。ある態様において、それは、結合論理502を具備する。アグリゲーション論理1100はまた、１つまたは複数の配信層マルチプレクスを生成するために１つまたは複数の配信オーバーヘッドを、選択されたサービス層マルチプレクスとそれぞれ結合するための手段（1106）を具備する第３のモジュールを具備する。ここにおいて、１つまたは複数の配信オーバーヘッドは、１つまたは複数の領域にそれぞれ基づいている。ある態様において、それは、結合論理502を具備する。アグリゲーション論理1100はまた、マルチ周波数ネットワークの１つまたは複数の領域上の１つまたは複数の配信層マルチプレクスを送信するための手段（1108）を具備する第４のモジュールを具備する。ある態様において、それは、出力論理508を具備する。
【００８５】
本件明細書における態様の開示に関連して説明されたさまざまな例示的な論理、論理ブロック、モジュール、および回路は、汎用目的プロセッサー、デジタル信号プロセッサー（DSP）、特定用途集積回路（ASIC）、フィールド・プログラマブル・ゲート・アレイ（FPGA）、または他のプログラマブル論理デバイス、離散的ゲートまたはトランジスタ論理、離散的ハードウェア・コンポーネント、またはこれらのものの任意の組み合わせであって、本件明細書記載の機能を実現するように設計されたものによって実装されることができる。汎用目的プロセッサーは、マイクロプロセッサーであってもよいが、そのかわりに、任意の通常のプロセッサー、コントローラー、マイクロコントローラー、または状態機械（ステートマシン）であってもよい。プロセッサーは、計算デバイスの組み合わせとして、例えば、DSPとマイクロプロセッサーとの組み合わせ、複数のマイクロプロセッサー、DSPコアと結合した１つまたは複数のマイクロプロセッサー、または他の任意の同様の機器設定として実装されることもできる。
【００８６】
本件明細書における開示に関連して説明された方法またはアルゴリズムのステップは、ハードウェア、プロセッサーによって実行されるソフトウェア・モジュール、またはその２つの組み合わせにおいて直接具体化されることができる。ソフトウェア・モジュールは、RAMメモリー、フラッシュ・メモリー、ROMメモリー、EPROMメモリー、EEPROMメモリー、レジスター、ハードウェア・ディスク、リムーバブル・ディスク、CD-ROM、または本件技術分野において既知の他の任意の形式の記憶媒体の中に存在することができる。一例としての記憶媒体は、プロセッサーが記憶媒体から情報を読み取る、または記憶媒体に情報を書き込むことができるように、プロセッサーと結合されている。そのかわりに、記憶媒体がプロセッサーと一体化されていてもよい。その場合、プロセッサーおよび記憶媒体がASICの中に存在し、そのASICがユーザー端末の中に存在するという設定であってもよい。そのかわりに、プロセッサーおよび記憶媒体がユーザー端末において、離散的コンポーネントとして、存在するという設定も可能である。
【００８７】
本件開示の説明は、どのような当業者も、本件開示の発明を製造し、または使用することができるように提供されている。本件開示に対するさまざまな修正は、当業者にとって直ちに明白でることができる。また、本件明細書において定義された一般原則（例えば、実例のメッセ−ジング・サービス、または任意の一般的なワイヤレス・データ通信アプリケーション）は、本件開示の要旨または範囲から逸脱することなく、他の変形に対して適用可能である。このような意味において、本件開示は、本件明細書において説明された事例および設計に限定されるよう意図されているものではなく、本件明細書に開示された原則および新規な特徴と一致する最も広い範囲が与えられるべきものである。本件明細書において、「例示的である」という語は、「事例、実例、または例示として役立つ」ことを意味するために排他的に使用される。本件明細書において「例示的である」と記述されるいかなる態様も、必ずしも好ましいまたは他の態様に比べて優れていると理解されてはならない。
【００８８】
したがって、配信システムの態様が本件明細書において例示され、記述されているが、それらの態様の要旨または本質的性質から離れることなくさまざまな変形がそれらの態様に行われてもよいということが認識されるだろう。したがって、本件開示および本件明細書における記述は、本件発明の範囲の非制限的な例示となるように意図され、それらは、以下の特許請求の範囲において述べられる。
以下に、出願当初の特許請求の範囲に記載された発明を付記する。
［Ｃ１］
マルチ周波数ネットワークにおけるマルチプレクス配信のための方法であって、前記方法は、
１つまたは複数のサービス層マルチプレクスを生成するために１つまたは複数のサービス・オーバーヘッドを選択されたコンテンツ・マルチプレクスとそれぞれ結合することと、
選択されたサービス層マルチプレクスが配信されるべき前記マルチ周波数ネットワークのうちの１つまたは複数の領域を決定することと、
１つまたは複数の配信層マルチプレクスを生成するために１つまたは複数の配信オーバーヘッドを前記選択されたサービス層マルチプレクスとそれぞれ結合することと、ここにおいて、前記１つまたは複数の配信オーバーヘッドは、前記１つまたは複数の領域に基づいてそれぞれ決定される、および
前記マルチ周波数ネットワークのうちの前記１つまたは複数の領域上で前記１つまたは複数の配信層マルチプレクスを送信することと
を具備する方法。
［Ｃ２］
前記選択されたコンテンツ・マルチプレクスが配信されるべき前記マルチ周波数ネットワークのうちの１つまたは複数の選択された領域を決定することと、および
前記１つまたは複数の選択された領域に基づいて前記１つまたは複数のサービス・オーバーヘッドをそれぞれ決定することと
をさらに具備する、Ｃ１に記載の方法。
［Ｃ３］
複数のコンテンツ・マルチプレクスのためにサービス層マルチプレクスを生成することと、および
複数のサービス層マルチプレクスのために配信層マルチプレクスを生成することと
をさらに具備する、Ｃ１に記載の方法。
［Ｃ４］
ワイドコンテンツ・マルチプレクスおよびローカルコンテンツ・マルチプレクスのためにそれぞれ別々のサービス層マルチプレクスを生成することと、および
ワイド・サービス層マルチプレクスおよびローカル・サービス層マルチプレクスのためにそれぞれ別々の配信層マルチプレクスを生成することと
をさらに具備する、Ｃ３に記載の方法。
［Ｃ５］
前記送信することは、
トランスポート識別子を前記１つまたは複数の配信層マルチプレクスの各々の成分に割り当てることと、および
トランスポート機構および前記関連したトランスポート識別子を使用して前記マルチ周波数ネットワークのうちの前記１つまたは複数の領域と関連した送信機サイトに前記１つまたは複数の配信層マルチプレクスの各々の成分を送信することと
を具備する、Ｃ１に記載の方法。
［Ｃ６］
前記送信することは、
同等の配信層マルチプレクスの１つまたは複数のセットを識別することと、ここにおいて、同等の配信層マルチプレクスの選択されたセットにおける各々の配信層マルチプレクスは、同一のコンテンツ・データと関連させられる、および
同等の配信層マルチプレクスの前記選択されたセットにおけるすべての配信層マルチプレクスのために送信機サイトへコンテンツ・データの単一の実例を送信することと
を具備する、Ｃ１に記載の方法。
［Ｃ７］
マルチ周波数ネットワークにおけるマルチプレクス配信のための装置であって、前記装置は、
１つまたは複数のサービス層マルチプレクスを生成するために１つまたは複数のサービス・オーバーヘッドを選択されたコンテンツ・マルチプレクスとそれぞれ結合し、
選択されたサービス層マルチプレクスが配信されるべき前記マルチ周波数ネットワークのうちの１つまたは複数の領域を決定し、
１つまたは複数の配信層マルチプレクスを生成するために１つまたは複数の配信オーバーヘッドを前記選択されたサービス層マルチプレクスとそれぞれ結合するように構成されている結合論理であって、前記１つまたは複数の配信オーバーヘッドは、前記１つまたは複数の領域に基づいてそれぞれ決定される、結合論理と、および
前記マルチ周波数ネットワークのうちの前記１つまたは複数の領域上で前記１つまたは複数の配信層マルチプレクスを送信するように構成されている出力論理と
を具備する装置。
［Ｃ８］
前記結合論理は、
前記選択されたコンテンツ・マルチプレクスが配信されるべき前記マルチ周波数ネットワークのうちの１つまたは複数の選択された領域を決定し、および
前記１つまたは複数の選択された領域に基づいて前記１つまたは複数のサービス・オーバーヘッドをそれぞれ決定する
ように構成されている、Ｃ７に記載の装置。
［Ｃ９］
前記結合論理は、
複数のコンテンツ・マルチプレクスのためにサービス層マルチプレクスを生成し、および
複数のサービス層マルチプレクスのために配信層マルチプレクスを生成する
ように構成されている、Ｃ７に記載の装置。
［Ｃ１０］
前記結合論理は、
ワイドコンテンツ・マルチプレクスおよびローカルコンテンツ・マルチプレクスのためにそれぞれ別々のサービス層マルチプレクスを生成し、および
ワイド・サービス層マルチプレクスおよびローカル・サービス層マルチプレクスのためにそれぞれ別々の配信層マルチプレクスを生成する
ように構成されている、Ｃ９に記載の装置。
［Ｃ１１］
前記出力論理は、
トランスポート識別子を前記１つまたは複数の配信層マルチプレクスの各々の成分に割り当て、および
トランスポート機構および前記関連したトランスポート識別子を使用して前記マルチ周波数ネットワークの前記１つまたは複数の領域と関連した送信機サイトへ前記１つまたは複数の配信層マルチプレクスの各々の成分を送信する
ように構成されている、Ｃ７に記載の装置。
［Ｃ１２］
前記出力論理は、
同等の配信層マルチプレクスの１つまたは複数のセットを識別し、ここにおいて、同等の配信層マルチプレクスの選択されたセットにおける各々の配信層マルチプレクスは、同一のコンテンツ・データと関連させられる、および
同等の配信層マルチプレクスの前記選択されたセットにおけるすべての配信層マルチプレクスのために送信機サイトへコンテンツ・データの単一の実例を送信する
ように構成されている、Ｃ７に記載の装置。
［Ｃ１３］
マルチ周波数ネットワークにおけるマルチプレクス配信のための装置であって、前記装置は、
１つまたは複数のサービス層マルチプレクスを生成するために１つまたは複数のサービス・オーバーヘッドを選択されたコンテンツ・マルチプレクスとそれぞれ結合するための手段と、
選択されたサービス層マルチプレクスが配信されるべき前記マルチ周波数ネットワークのうちの１つまたは複数の領域を決定するための手段と、
１つまたは複数の配信層マルチプレクスを生成するために１つまたは複数の配信オーバーヘッドを前記選択されたサービス層マルチプレクスとそれぞれ結合するための手段であって、前記１つまたは複数の配信オーバーヘッドは、前記１つまたは複数の領域に基づいてそれぞれ決定される、手段と、および
前記マルチ周波数ネットワークの前記１つまたは複数の領域上で前記１つまたは複数の配信層マルチプレクスを送信するための手段と
を具備する装置。
［Ｃ１４］
前記選択されたコンテンツ・マルチプレクスが配信されるべき前記マルチ周波数ネットワークのうちの１つまたは複数の選択された領域を決定するための手段と、および
前記１つまたは複数の選択された領域に基づいて前記１つまたは複数のサービス・オーバーヘッドをそれぞれ決定するための手段と
をさらに具備する、Ｃ１３に記載の装置。
［Ｃ１５］
複数のコンテンツ・マルチプレクスのためにサービス層マルチプレクスを生成するための手段と、および
複数のサービス層マルチプレクスのために配信層マルチプレクスを生成するための手段と
をさらに具備する、Ｃ１３に記載の装置。
［Ｃ１６］
ワイドコンテンツ・マルチプレクスおよびローカルコンテンツ・マルチプレクスのためにそれぞれ別々のサービス層マルチプレクスを生成するための手段と、および
ワイド・サービス層マルチプレクスおよびローカル・サービス層マルチプレクスのためにそれぞれ別々の配信層マルチプレクスを生成するための手段と
をさらに具備する、Ｃ１５に記載の装置。
［Ｃ１７］
送信するための前記手段は、
トランスポート識別子を前記１つまたは複数の配信層マルチプレクスの各々の成分に割り当てるための手段と、および
トランスポート機構および前記関連したトランスポート識別子を使用して前記マルチ周波数ネットワークのうちの前記１つまたは複数の領域と関連した送信機サイトへ前記１つまたは複数の配信層マルチプレクスの各々の成分を送信するための手段と
を具備する、Ｃ１３に記載の装置。
［Ｃ１８］
送信するための前記手段は、
同等の配信層マルチプレクスの１つまたは複数のセットを識別するための手段であって、同等の配信層マルチプレクスの選択されたセットにおける各々の配信層マルチプレクスは、同一のコンテンツ・データと関連させられる、手段と、および
同等の配信層マルチプレクスの前記選択されたセットにおけるすべての配信層マルチプレクスのために送信機サイトへコンテンツ・データの単一の実例を送信するための手段と  を具備する、Ｃ１３に記載の装置。
［Ｃ１９］
マルチ周波数ネットワークにおけるマルチプレクス配信のためのコンピューター・プログラム製品であって、
１つまたは複数のサービス層マルチプレクスを生成するためにコンピューターに１つまたは複数のサービス・オーバーヘッドを選択されたコンテンツ・マルチプレクスと結合させるための第１のコードセットと、
選択されたサービス層マルチプレクスが配信されるべき前記マルチ周波数ネットワークのうちの１つまたは複数の領域を前記コンピューターに決定させるための第２のコードセットと、
１つまたは複数の配信層マルチプレクスを生成するために前記コンピューターに１つまたは複数の配信オーバーヘッドを前記選択されたサービス層マルチプレクスと結合させるための第３のコードセットであって、前記１つまたは複数の配信オーバーヘッドは、前記１つまたは複数の領域に基づいて決定される、第３のコードセットと、および
前記マルチ周波数ネットワークの前記１つまたは複数の領域上で前記１つまたは複数の配信層マルチプレクスを前記コンピューターに送信させるための第４のコードセットと  を具備する機械可読媒体を具備するコンピューター・プログラム製品。
［Ｃ２０］
前記第１のコードセットは、前記コンピューターに
前記選択されたコンテンツ・マルチプレクスが配信されるべき前記マルチ周波数ネットワークのうちの１つまたは複数の選択された領域を決定させ、および
前記１つまたは複数の選択された領域に基づいて前記１つまたは複数のサービス・オーバーヘッドをそれぞれ決定させる
ように構成されている、Ｃ１９に記載の機械可読媒体。
［Ｃ２１］
前記第１のコードセットは、複数のコンテンツ・マルチプレクスのためにサービス層マルチプレクスを前記コンピューターに生成させるように構成されている、Ｃ１９に記載の機械可読媒体。
［Ｃ２２］
前記第３のコードセットは、複数のサービス層マルチプレクスのために配信層マルチプレクスを前記コンピューターに生成させるように構成されている、Ｃ１９に記載の機械可読媒体。
［Ｃ２３］
前記第１のコードセットは、ワイドコンテンツ・マルチプレクスおよびローカルコンテンツ・マルチプレクスのためにそれぞれ別々のサービス層マルチプレクスを前記コンピューターに生成させるように構成されている、Ｃ２１に記載の機械可読媒体。
［Ｃ２４］
前記第３のコードセットは、ワイド・サービス層マルチプレクスおよびローカル・サービス層マルチプレクスのためにそれぞれ別々の配信層マルチプレクスを前記コンピューターに生成させるように構成されている、Ｃ２２に記載の機械可読媒体。
［Ｃ２５］
前記第４のコードセットは、前記コンピューターに
トランスポート識別子を前記１つまたは複数の配信層マルチプレクスの各々の成分に割り当てさせ、および
トランスポート機構および前記関連したトランスポート識別子を使用して前記１つまたは複数の配信層マルチプレクスの各々の成分を前記マルチ周波数ネットワークの前記１つまたは複数の領域と関連させられた送信機サイトへ送信させる
ように構成されている、Ｃ１９に記載の機械可読媒体。
［Ｃ２６］
前記第４のコードセットは、前記コンピューターに
同等の配信層マルチプレクスの１つまたは複数のセットを識別させ、ここにおいて、同等の配信層マルチプレクスの選択されたセットにおける各々の配信層マルチプレクスは、同一のコンテンツ・データと関連させられる、および
同等の配信層マルチプレクスの前記選択されたセットにおけるすべての配信層マルチプレクスのためにコンテンツ・データの単一の実例を送信する
ように構成されている、Ｃ１９に記載の機械可読媒体。
［Ｃ２７］
マルチ周波数ネットワークにおけるマルチプレクス配信のために構成されている少なくとも１つの集積回路であって、前記少なくとも１つの集積回路は、
１つまたは複数のサービス層マルチプレクスを生成するために１つまたは複数のサービス・オーバーヘッドを選択されたコンテンツ・マルチプレクスとそれぞれ結合するための第１のモジュールと、
選択されたサービス層マルチプレクスが配信されるべき前記マルチ周波数ネットワークのうちの１つまたは複数の領域を決定するための第２のモジュールと、
１つまたは複数の配信層マルチプレクスを生成するために１つまたは複数の配信オーバーヘッドを前記選択されたサービス層マルチプレクスとそれぞれ結合するための第３のモジュールであって、前記１つまたは複数の配信オーバーヘッドは、前記１つまたは複数の領域に基づいてそれぞれ決定される、第３のモジュールと、および
前記マルチ周波数ネットワークの前記１つまたは複数の領域上で前記１つまたは複数の配信層マルチプレクスを送信するための第４のモジュールと
を具備する集積回路。
［Ｃ２８］
前記第１のモジュールは、
前記選択されたコンテンツ・マルチプレクスが配信されるべき前記マルチ周波数ネットワークのうちの１つまたは複数の選択された領域を決定し、および
前記１つまたは複数の選択された領域に基づいて前記１つまたは複数のサービス・オーバーヘッドをそれぞれ決定する
ように構成されている、Ｃ２７に記載の少なくとも１つの集積回路。
［Ｃ２９］
前記第１のモジュールは、複数のコンテンツ・マルチプレクスのためにサービス層マルチプレクスを生成するように構成されている、Ｃ２７に記載の少なくとも１つの集積回路。
［Ｃ３０］
前記第３のモジュールは、複数のサービス層マルチプレクスのために配信層マルチプレクスを生成するように構成されている、Ｃ２７に記載の少なくとも１つの集積回路。
［Ｃ３１］
前記第１のモジュールは、ワイドコンテンツ・マルチプレクスおよびローカルコンテンツ・マルチプレクスのためにそれぞれ別々のサービス層マルチプレクスを生成するように構成されている、Ｃ２９に記載の少なくとも１つの集積回路。
［Ｃ３２］
前記第３のモジュールは、ワイド・サービス層マルチプレクスおよびローカル・サービス層マルチプレクスのためにそれぞれ別々の配信層マルチプレクスを生成するように構成されている、Ｃ３０に記載の少なくとも１つの集積回路。
［Ｃ３３］
前記第４のモジュールは、
前記１つまたは複数の配信層マルチプレクスの各々の成分にトランスポート識別子を割り当て、および
トランスポート機構および前記関連したトランスポート識別子を使用して前記マルチ周波数ネットワークの前記１つまたは複数の領域と関連させられた送信機サイトへ前記１つまたは複数の配信層マルチプレクスの各々の成分を送信する
ように構成されている、Ｃ２７に記載の少なくとも１つの集積回路。
［Ｃ３４］
前記第４のモジュールは、
同等の配信層マルチプレクスの１つまたは複数のセットを識別し、ここにおいて、同等の配信層マルチプレクスの選択されたセットにおける各々の配信層マルチプレクスは、同一のコンテンツ・データと関連させられる、および
同等の配信マルチプレクスの前記選択されたセットにおけるすべての配信層マルチプレクスのために送信機サイトへコンテンツ・データの単一の実例を送信する
ように構成されている、Ｃ２７に記載の少なくとも１つの集積回路。
【図１】
0005559387.tif 000002
【図２】
0005559387.tif 000003
【図３】
0005559387.tif 000004
【図４】
0005559387.tif 000005
【図５】
0005559387.tif 000006
【図６】
0005559387.tif 000007
【図７】
0005559387.tif 000008
【図８】
0005559387.tif 000009
【図９】
0005559387.tif 000010
【図１０】
0005559387.tif 000011
【図１１】
0005559387.tif 000012